(57)【要約】【課題】高水圧下においても良好な表示状態を維持し、かつ液晶保護窓が表示装置に接触しない防水カメラを提供することを目的とする。【解決手段】液晶保護窓を有した樹脂外装と、樹脂外装の内部に保護窓と対向した液晶表示装置と、表示部と対向した位置に開口穴を有し、樹脂外装と液晶表示装置の間に延伸する金属板部材と、板部材の外周の辺の略中央に貼りつけられた弾性部材とを有し、弾性部材は貼りつけ面と対向する反対側の位置において液晶表示装置を保持し、外圧による金属板部材の変形に合わせ、液晶表示装置を保護窓から離す方向に移動させることを特徴とする。【選択図】  図３
2015184502.tif 000002
【特許請求の範囲】
【請求項１】
液晶保護窓を有した樹脂外装と、
前記樹脂外装の内部において、前記保護窓と対向した位置に液晶表示装置と、
前記液晶の表示部と対向した位置に開口穴を有し、
前記樹脂外装と前記液晶表示装置の間に延伸する金属板部材と、
前記板部材の外周の辺の中央、前記液晶側に貼りつけられた弾性部材と、
を有した防水カメラであり、
前記弾性部材は前記貼りつけ面と対向する反対側の位置において前記液晶表示装置を保持し、外圧による前記金属板部材の変形に合わせ、前記液晶表示装置を前記保護窓から離す方向に移動させることを特徴とする防水カメラ。
【請求項２】
前記金属板部材は前記液晶表示装置を囲うように立ち曲げを有するとともに、前記金属板部材の表示面と対向した面の中央を頂点に前記液晶表示装置から離れる方向に湾曲していることを特徴とする請求項１に記載の防水カメラ。
【請求項３】
前記湾曲した前記金属板部材と対向した位置の前記外装部材は前記湾曲部の頂点部が最も肉厚が薄くなり、外周に行くに従い、肉厚が厚くなる事を特徴とする請求項１又は請求項２に記載の防水カメラ。
【請求項４】
前記立ち曲げ部は前記湾曲部が外圧で押され平面に近づくにつれ前記液晶表示装置から離れる方向に押し出されることを特徴とする請求項１乃至請求項３の何れか一項に記載の防水カメラ。
【請求項５】
前記外圧は水圧であることを特徴とする請求項４又は請求項５に記載の防水カメラ。
【発明の詳細な説明】
【技術分野】
【０００１】
本発明は、電子機器（例えば、防水電子スチルカメラ）の水圧対策に関する。
【背景技術】
【０００２】
近年、小型で深い水深まで使用できる防水電子スチルカメラが求められている。このような防水電子スチルカメラでは外装カバーの隙間に防水パッキンを配し、レンズや背面液晶表示装置部には透明の保護窓を有している。また、液晶表示装置は金属製のシャーシ部材に固定され、保護窓と対向した位置に保持させることがある。
【０００３】
しかしながら、高い水圧が掛かると外装カバーの変形により液晶表示装置を固定するシャーシ部材が押圧され、液晶表示装置ごと変形することがあり、液晶表示装置に色ムラが発生する可能性があった。
【０００４】
そこで、上述した外力による変形対策に関する先行技術としては次の技術が提案されている（特許文献１参照）。特許文献１の提案では、液晶表示装置を箱状のシャーシで囲い、保持を４隅の受け面で行うことにより、液晶モジュールの歪みを低減させている。
【先行技術文献】
【特許文献】
【０００５】
【特許文献１】特開平７−９９３９４号公報
【発明の概要】
【発明が解決しようとする課題】
【０００６】
しかしながら、箱状に囲ったシャーシにおいて表示面側を覆った平面部を押下されると中央部が窪み、周囲を囲む側壁が液晶モジュールに近づく方向、つまり内側に傾いてしまう。傾いた側壁が液晶モジュールに接触すると液晶モジュールが歪み、色ムラが発生する問題があった。
【０００７】
また、液晶表示装置の保護窓も水圧により中央部が窪むため、液晶モジュールと接触しないように十分な隙間を確保することが必要であり、そのためカメラの厚みが増したり、液晶表示部が見づらくなる問題があった。
【０００８】
そこで本発明の目的は、良好な液晶表示状態を確保し、小型化、高耐水圧化が可能な防水電子スチルカメラを提供することにある。
【課題を解決するための手段】
【０００９】
上記の課題を解決するために、本出願における第１の発明では、
液晶保護窓を有した樹脂外装と、
前記樹脂外装の内部において、前記保護窓と対向した位置に液晶表示装置と、
前記液晶の表示部と対向した位置に開口穴を有し、
前記樹脂外装と前記液晶表示装置の間に延伸する金属板部材と、
前記板部材の外周の辺の略中央、前記液晶側に貼りつけられた弾性部材と、
を有した防水カメラであり、
前記弾性部材は前記貼りつけ面と対向する反対側の位置において前記液晶表示装置を保持し、外圧による前記金属板部材の変形に合わせ、前記液晶表示装置を前記保護窓から離れる方向に移動させることを特徴とする。
【００１０】
さらに第２の発明では、
前記金属板部材は前記液晶表示装置を囲うように立ち曲げを有するとともに、前記金属板部材の表示面と対向した面の略中央を頂点に前記液晶表示装置から離れる方向に湾曲していることを特徴とする。
【００１１】
さらに第３の発明では、
前記湾曲した前記金属板部材と対向した位置の前記外装部材は前記湾曲部の頂点部が最も肉厚が薄くなり、外周に行くに従い、肉厚が厚くなる事を特徴とする。
【００１２】
さらに第４の発明では、
前記立ち曲げ部は前記湾曲部が外圧で押され平面に近づくにつれ前記液晶表示装置から離れる方向に押し出されることを特徴とする。
【００１３】
さらに第５の発明では、
前記外圧は水圧であることを特徴とする。
【発明の効果】
【００１４】
本発明によれば、良好な液晶表示状態を確保し、小型化、高耐水圧化が可能な防水電子スチルカメラを提供することができる。
【図面の簡単な説明】
【００１５】
【図１】本発明の実施の形態に係る電子機器としての、防水デジタルカメラの外観斜視図であり、（ａ）はカメラ正面側、図１（ｂ）はカメラ背面側から見た斜視図である。
【図２】防水デジタルカメラの内部構成を示す分解斜視図である。
【図３】防水デジタルカメラのメインシャーシ構成を示す分解斜視図であり、（ａ）はカメラ背面側、図３（ｂ）はカメラ前面側から見たである。
【図４】防水デジタルカメラの外装カバーの構成を示す斜視図であり、（ａ）はカメラ背面側、図４（ｂ）はカメラ前面側から見た斜視図である。
【図５】防水デジタルカメラの図１の矢視Ａ−Ａ線に沿うデジタルカメラの構成を示す断面図である。
【図６】防水デジタルカメラの、図１の矢視Ｂ−Ｂ線に沿うデジタルカメラの構成を示す断面図である。
【図７】防水デジタルカメラの、図６の拡大図であり、ａ）はＣ部、図４（ｂ）はＤ部の拡大図である。
【図８】防水デジタルカメラの図１の矢視Ａ−Ａ線に沿うデジタルカメラの構成を示す断面図である。
【発明を実施するための形態】
【００１６】
以下に、本発明の好ましい実施の形態を、添付の図面に基づいて詳細に説明する。
【実施例１】
【００１７】
以下、図１から図７を参照して、本発明の第１の実施例による液晶表示装置および内部構造について説明する。
【００１８】
図１（ａ）は本実施の形態にかかる防水デジタルカメラの正面外観斜視図を示す。同図において、デジタルカメラ１０１は、本体前面にレンズガラス１０２とストロボ１０３、ＡＦ補助光１０４、上面に電源ボタン１０５、レリーズボタン１０６、動画撮影ボタン１０７を備えている。
【００１９】
レンズガラス１０２の内部にはレンズ鏡筒１０８（図２）が装着され、レンズ鏡筒１０８は、撮影レンズ、該撮影レンズを支持する鏡筒部材、撮像素子等からなる撮影光学系を構成している。
【００２０】
電源ボタン１０５は、デジタルカメラの電源の投入／切断を行う際に操作する。レリーズボタン１０６は静止画撮影を、動画撮影ボタン１０７は動画撮影行う際に操作する。
【００２１】
ストロボ１０３と、ＡＦ補助光１０４は、低輝度撮影環境下において発光動作を行う。
【００２２】
上述した電源ボタン１０５、レリーズボタン１０６、動画撮影ボタン１０７、ストロボ１０３、ＡＦ補助光１０４は、後述のメイン基板２０１に実装されているＣＰＵにより制御される。
【００２３】
図１（ｂ）は本実施の形態にかかる防水デジタルカメラの背面外観斜視図を示す。同図において、デジタルカメラ１０１は、本体背面に液晶保護窓１０９とズームボタン１１０、その他、操作ボタン１１１、指掛け用の突起部１１２を備えている。
【００２４】
図２は、デジタルカメラ１０１の内部構造を示す分解斜視図である。
【００２５】
デジタルカメラ１０１は、屈曲光学系のレンズ鏡筒１０８を備え、不図示のストロボ基板、信号処理基板であるところのメイン基板２０１と位置情報を取得するためのＧＰＳ基板２０２を装着し、電池２０３を収納する樹脂フレーム２０４（フレーム部材）を備える。
【００２６】
次に、デジタルカメラ１０１は、各操作スイッチを実装したフレキシブル基板２０５と、ＵＳＢコネクタ２０６やＨＤＭＩ(登録商標）コネクタ２０７を実装したフレキシブル基板２０８を備える。
【００２７】
その上部には、外部から電源を供給するためのＤＣプラグコネクタ２０９を実装したフレキシブル基板２１０を備える。
【００２８】
フレキシブル基板２０８および２１０は樹脂ホルダ２１１により保持される。
【００２９】
各部品は樹脂製のフロントカバー２１２に装着され、後述する防水パッキンを圧接するための防水リブ２１２ａにより囲まれ外部からの水圧から保護される。
【００３０】
図３は、本実施の形態にかかるデジタルカメラ１０１の液晶表示装置の保持部を示す分解斜視図であり、図３（ａ）は正面斜視図、図３（ｂ）は背面斜視図を示す。
【００３１】
メインシャーシ３０１は液晶ユニット３０２よりカメラ背面側に配置され、液晶ユニット３０２を囲うように箱状の形状が形成されている。
【００３２】
液晶ユニット３０２の表示領域３０２ａと対向する面３０１ａには表示領域３０２ａより広い面積の開口穴３０１ｂが形成されている。
【００３３】
前記面３０１ａは表示領域３０２ａの中心付近が頂点となる湾曲した形状が形成されている。
【００３４】
湾曲面３０１ａの上下には立ち壁３０１ｃが形成され、湾曲面３０１ａの補強および液晶ユニット３０２を外力から保護することが可能である。
【００３５】
湾曲面３０１ａの左辺には立ち壁３０１ｄが形成され、その先端３０１ｅは不図示のサブシャーシと当接する。
【００３６】
湾曲面３０１ａの右側には操作スイッチを実装したフレキシブル基板２０５を保持するための平面３０１ｅがあり、湾曲面３０１ａと平面３０１ｅを結ぶ立ち壁３０１ｆが形成される。
【００３７】
液晶ユニット３０２は不図示のバックライト導光板やバックライトＬＥＤを具備し、液晶セルとともに金属の箱状形状を有したベゼル３０２ｂで保持される。
【００３８】
液晶ユニット３０２右側面から延びるＬＣＤフレキシブル基板３０２ｃおよびバックライトフレキシブル基板３０２ｄは、メインシャーシ開口穴３０１ｈ、３０１ｋを通りメイン基板２０１へ接続される。
【００３９】
液晶ユニット３０２はメインシャーシ湾曲面３０１ａの裏面側にて２つのクッション３０３を介して装着される。
【００４０】
クッション３０３はメインシャーシ対向面および液晶ユニット対向面両方に接着紙を備えた短冊上のクッションであり、メインシャーシ３０１と液晶ユニット３０２の距離を一定に保った状態で保持する。
【００４１】
クッション３０３はメインシャーシ３０１の湾曲部３０１ａの頂点付近に装着され、クッションの厚さは湾曲面３０１ａと液晶ユニットが端部で接触しない高さに設定されている。
【００４２】
図４は、本実施の形態にかかるデジタルカメラ１０１のリアカバーの構成を示す分
解斜視図であり、図４（ａ）は正面斜視図、図４（ｂ）は背面斜視図を示す。
【００４３】
リアカバー４０１はフロントカバー２１２同様、樹脂製の外装カバーであり、周囲を囲む溝４０１ａには防水パッキン４０２が装着される。
【００４４】
防水パッキン４０２は溝４０１ａ内でフロントカバー防水リブ２１２ａで圧接され外部からの水の侵入を防ぐ。
【００４５】
液晶ユニットの表示領域３０２ａと対向した面には開口穴４０１ｂがあり、表側には周囲を囲む窪み４０１ｃが備わる。
【００４６】
窪み４０１ｃにはアクリルの切削材で形成された液晶保護窓１０９が接着固定される。
【００４７】
従来の防水カメラにおいては水圧により液晶保護窓１０９が変形し、液晶ユニットの表示領域３０２ａに接触することがある。
【００４８】
液晶ユニット３０２の液晶セルのガラス内にはシリコンが封入されているが、圧力が掛かるとシリコン層の厚みが変わり本来の色を表示できなくなる。
【００４９】
そのため撮影者は画面中央部に色ムラが発生し、見づらくなるとともに、液晶保護窓１０９が液晶ユニット３０２に接触することにより、水圧で壊れるのではないかという不安を与えることになる。
【００５０】
したがって液晶保護窓１０９と液晶ユニット３０２は水圧で接触しないように離間させることが必要であるが、両部品の隙間を広げたり、液晶保護窓１０９の強度を上げる為に窓を厚くすることはカメラを大型化することになる。
【００５１】
そこで、本発明ではリアカバー４０１と液晶ユニット３０２の間にメインシャーシ３０１を設けることによって水圧による変形を抑える構成としている。
【００５２】
図５は、本実施の形態にかかるデジタルカメラ１０１の矢視Ａ−Ａ線（図１）に沿うデジタルカメラの構成を示す断面図である。
【００５３】
同図は通常状態における内部構成を示し、液晶保護窓１０９と液晶ユニット３０２の間には一定の間隔で離間している。
【００５４】
ここで、メインシャーシ３０１はリアカバー４０１の外形に沿う形で形成されている。
【００５５】
板金をプレス成形にて図のような形状に成形すると、液晶保護窓１０９からの押圧に対し、格段に強度があがることになる。
【００５６】
これにより水圧で変形した外装カバーはメインシャーシ３０１で内部から支持することが可能であり、耐水深性能が向上する。
【００５７】
また、リアカバー４０１と液晶ユニット３０２の間でメインシャーシ３０１は湾曲面３０１ａが形成されている。湾曲面３０１ａと対向したリアカバー裏面４０１ｄも、メインシャーシ３０１と一定の距離で湾曲した形状を具備する。
【００５８】
一方、液晶ユニット３０２のカメラ内部側ではレンズ鏡筒１０８やメイン基板２０１との間には一定の退避空間αが設けてある。
【００５９】
これは本実施の形態にかかるデジタルカメラ１０１が防水性だけでなく、耐衝撃性の高さも備えたカメラのため、レンズ鏡筒１０８や液晶ユニット３０２は弾性部材で保持され、周囲の隙間で勢いを緩和させて耐衝撃性能を向上させている。
【００６０】
図６は、本実施の形態にかかるデジタルカメラ１０１の矢視Ｂ−Ｂ線（図１）に沿うデジタルカメラの構成を示す断面図である。
【００６１】
同図は水中状態における内部構成を示し、液晶保護窓１０９やリアカバー４０１が水圧によりカメラ内側に撓み、メインシャーシ湾曲部３０１ａが押されて湾曲の曲率が平面に近くなる方に変化する。
【００６２】
メインシャーシ湾曲部３０１ａの曲率が変わると、湾曲部を形成していた板部材の長さは不変のため、両端部の側壁３０１ｄ、３０１ｆはそれぞれ矢印Ｘおよび−Ｘ方向に押され移動する。
【００６３】
次に、メインシャーシ湾曲部３０１ａが押されカメラ内部側に変位すると、クッション３０３も追従してカメラ内側に移動する。
【００６４】
液晶ユニット３０２はクッション３０３により保持されているため、クッション３０３の移動に合わせて液晶ユニット３０２もカメラ内側に移動する。
【００６５】
その結果、液晶ユニット３０２裏面の退避空間が減ってしまうが水中では落下時のような強い衝撃が加わることがないので退避空間が少なくても問題はない。
【００６６】
図７（ａ）は、図６で示したＣ部の拡大図である。本実施の形態のように凸状に湾曲したメインシャーシ構成では、側壁３０１ｆは矢印−Ｘ方向に逃げるように変位する。
【００６７】
これにより、水圧で液晶ユニット側壁３０２ｃとメインシャーシ側壁３０１ｆが干渉することが無くなり、表示部の外周側に色ムラが発生することが回避できる。
【００６８】
図７（ｂ）は、図６で示したＤ部の拡大図である。この場合も同様に側壁３０１ｄは液晶ユニット側壁３０２ｄから離れる方向（矢印Ｘ方向）に移動するため干渉することが無くなり、表示部の外周側に色ムラが発生することが回避できる。
【００６９】
図８は、本実施の形態にかかるデジタルカメラ１０１の矢視Ａ−Ａ線（図１）に沿うデジタルカメラの構成を示す断面図である。同図は図５に対する水中状態での内部構成を示し、液晶保護窓１０９は図のように液晶保護窓１０９の略中央部が最も水圧による変位量が大きい。
【００７０】
しかし、前記したように液晶ユニット３０２はクッション３０３の移動に合わせて液晶ユニット３０２もカメラ内側に移動している。これにより、湾曲した液晶保護窓１０９と液晶ユニット３０２が当接することが回避でき、画面中央部への色ムラも回避できた。
【００７１】
また、本実施の形態では水圧による変形した場合を例に挙げたが、これに限定されるものではない。カバン内で強い圧力に耐える、耐荷重を特徴とする電子機器にも同様の効果が得られる。
【００７２】
また液晶保護窓は平面形状の切削アクリル材を使用した場合を例に挙げたが、これに限定されるものではない。ガラスや射出成形された透明樹脂材、曲面で構成された保護窓で形成してもよい。この場合も同様の効果が得られる。
【００７３】
またメインシャーシの湾曲部は背面全体が湾曲した形状を例に挙げたが、これに限定されるものではない。湾曲部は一部のみでも同様の効果が得られる。
【００７４】
本発明の構成は、デジタルカメラ以外にも、一眼レフカメラ、ビデオカメラ等の各種形態の撮像装置、撮像装置以外の光学機器、電子機器にも適用することができる。更に、撮像装置や光学機器や電子機器を構成する要素にも適用することができる。
【符号の説明】
【００７５】
１０１：カメラ本体、１０９：液晶保護窓、３０１：金属板部材、３０２：液晶表示装置、３０３：弾性部材、４０１：樹脂外装
【図１】
2015184502.tif 000003
【図２】
2015184502.tif 000004
【図３】
2015184502.tif 000005
【図４】
2015184502.tif 000006
【図５】
2015184502.tif 000007
【図６】
2015184502.tif 000008
【図７】
2015184502.tif 000009
【図８】
2015184502.tif 000010